(57)【特許請求の範囲】
【請求項１】
流路の一端から他端に向かって試料が電気泳動する電気泳動路を備えた電気泳動媒体と、
前記電気泳動路の両端にそれぞれ接続され、その電気泳動路に泳動電圧を印加するための電源装置と、を備えた電気泳動装置であって、
前記電源装置は、
出力端子と接地端子の間に接続され、出力電圧を分圧して帰還電圧を作成する分圧抵抗及び電流測定抵抗からなる直列回路と、
前記帰還電圧及び設定電圧を入力して比較する比較回路と、
設定電圧が帰還電圧よりも高いときの前記比較回路の出力信号により作動する発振回路、前記発振回路の出力信号を１次側入力とする昇圧トランス、及び前記昇圧トランスの２次側に接続され前記出力端子に電源電圧を供給する整流平滑回路を備えた電源供給回路と、
前記分圧抵抗に並列に接続されたトランジスタ回路、及び設定電圧が帰還電圧よりも低いときの前記比較回路の出力信号を入力して前記トランジスタを作動させる制御信号を発生する光起電力型ホトカプラを含み、前記制御信号が該ホトカプラに戻るように接続された電荷放電回路と、を備えたものである電気泳動装置。
【請求項２】
前記トランジスタはバイポーラトランジスタであって、
前記ホトカプラからの制御信号が前記トランジスタのベース電極に供給され、そのベース電流が前記ホトカプラに戻るように接続されている請求項１に記載の電気泳動装置。
【請求項３】
前記トランジスタは電界効果型トランジスタであって、
前記ホトカプラの起電力が前記トランジスタのゲート‐ソース間に印加されるように接続されている請求項１に記載の電気泳動装置。
【請求項４】
前記電荷放電回路の前記トランジスタ回路は複数個のトランジスタが直列に接続されたものであり、
前記トランジスタのそれぞれに前記ホトカプラが設けられ、それぞれのトランジスタの制御信号がそれぞれのホトカプラに戻るように接続されている請求項１から３のいずれかに記載の電気泳動装置。
【発明の詳細な説明】
【技術分野】
【０００１】
本発明は、電気泳動装置に関するものである。
【背景技術】
【０００２】
電気泳動装置では、泳動媒体（例えばゾル等）に封入された試料に電界をかけることで試料を分離媒体中まで移動させ、分子サイズなどによる移動速度の差異を利用して試料を成分ごとに分離する。また、チップ型の電気泳動装置では、分析チップへの試料の導入やチップ内での試料の移動においても電界をかける。電界の制御は、分離媒体や分離流路に接続された高圧電源の電圧を制御することで行なっている。
【０００３】
試料の導入や泳動開始などの制御を行なうために試料を高速で操作するには、高圧電源の電圧制御を高速で行なう必要がある。チップ型電気泳動装置は、試料注入流路に電界をかけて試料を分離流路との交差部分に移動させ、その後、電源装置を切り替えて分離流路に電界をかけ、交差部分の試料を分離流路に注入する。しかし、電源装置の切替え、すなわち注入流路に印加されていた電圧の立下りに時間がかかると、分離流路に注入した試料が拡散してしまい、分離性能（理論段数）が悪化するという問題があった。そこで、電気泳動装置などに用いる電源装置としては、特に電圧の立下り時間の短い電源装置を用いることが好ましい。しかし、電源装置には通常交流電圧を平滑な直流電圧に変換するために、ダイオードやコンデンサからなる整流平滑回路が構成されており、電源装置に入力する設定電圧値を下げても整流平滑回路のコンデンサに蓄積された電荷によって、出力電圧が立ち下がるのに時間がかかるという問題があった。
【発明の開示】
【発明が解決しようとする課題】
【０００４】
電圧の立下り時間を短くする方法として、電源装置の整流平滑回路に設けられているコンデンサに蓄積された電荷を素早く放電させることが考えられる。整流平滑回路のコンデンサに蓄積された電荷を素早く放電させる構成として、例えば図５に示されるように、分圧抵抗Ｒ１，Ｒ２に並列に接続されたバイポーラトランジスタＱ１を含む電荷放電回路を設けるという方法がある。この電源装置では、バイポーラトランジスタＱ１は比較回路４からの制御信号によって作動するようになっている。比較回路４は、設定部２の設定電圧と出力電圧に応じた帰還電圧を比較し、設定電圧が帰還電圧よりも高いときはインバータ６側に電気信号を供給して昇圧トランスＴ１、整流平滑回路８を介して出力端子１０に設定電圧に対応する電圧を出力し、設定電圧が帰還電圧よりも低いときはバイポーラトランジスタＱ１にベース電流を流して作動させる。バイポーラトランジスタＱ１が作動すると、整流平滑回路８の平滑コンデンサＣ１，Ｃ２に蓄積された電荷はバイポーラトランジスタＱ１のコレクタ‐エミッタ間、電流検出抵抗Ｒ３を経てグランドに放電される。これにより、出力電圧の立下り時は、平滑コンデンサＣ１，Ｃ２に蓄積された電荷が素早く放電されるので出力電圧が素早く立ち下がる。
【０００５】
図６に示されるように、図５の電源装置をマイクロチップ型の電気泳動装置１４の分離流路１６の上流端Ａと下流端Ｂに接続して、分離流路１６に印加する電圧を制御するようにした場合について考える。電源装置には、分離流路１６を流れる高圧の電流を測定したいという要求を満たすために、電源装置の分圧抵抗Ｒ１，Ｒ２と接地端子１１との間に電流測定抵抗Ｒ３が設けられており、電流測定抵抗Ｒ３を流れる電流を電流測定部１２で測定できるようになっている。これは、分離流路１６を流れる電流をマイクロチップ１４上では測定することができないためである。また、このことは分離流路１６に試料を注入するための、分離流路１６に直交した注入流路（図示は省略）においても同じである。
【０００６】
例えば分離流路１６の上流端Ａと下流端Ｂの間に１０００Ｖの電圧を印加するには、上流端Ａに接続されている電源装置（以下、上流側電源装置という。）から１０００Ｖの電圧を出力し、下流端Ｂに接続されている電源装置（以下、下流側電源装置という。）から０Ｖの電圧を出力する。すなわち、下流側電源装置の設定電圧を０Ｖにしてインバータ６を停止させる。これにより、上流側電源装置から出力された電流は分離流路１６を経て下流側電源装置に流入する。下流側電源装置に流入した電流は分圧抵抗Ｒ１，Ｒ２、電流測定抵抗Ｒ３を通過して接地端子１１からグランドに流出するが、これらの抵抗を電流が流れることで電圧降下が生じ、比較回路４で検出される帰還電圧が上昇する。下流側電源装置の設定電圧は０Ｖであるので、帰還電圧が設定電圧よりも高くなってバイポーラトランジスタＱ１にベース信号が供給され、バイポーラトランジスタＱ１が作動する。これにより、下流側電源装置に流入した電流は分圧抵抗Ｒ１，Ｒ２に並列に接続されたバイポーラトランジスタＱ１のコレクタ‐エミッタ間を通った後、電流測定抵抗Ｒ３を経て接地端子１１からグランドに流出するようになり、分圧抵抗Ｒ１，Ｒ２による電圧降下がなくなって下流側電源装置の出力部１０の電位が０に接近する。電流測定抵抗Ｒ３の抵抗値は抵抗Ｒ１，Ｒ２よりも極端に小さく設定されており、抵抗Ｒ３による電圧降下は無視することができる。
【０００７】
しかし、図６に示された構成では、下流側電源装置の比較回路４からの電流は、バイポーラトランジスタＱ１のベース‐エミッタ間を通った後、抵抗Ｒ３を経てグランドに流出するように構成されているため、電流測定部１２で検出される電流値はバイポーラトランジスタＱ１のベース電流を含んだものとなっており、この構成では分離流路１６を流れた電流のみを正確に測定することができない。さらに、ベース電流は瞬間的にｍＡ（ミリアンペア）オーダーの大きさになることがあり、特にμＡ（マイクロアンペア）以下のオーダーの電流を検出する場合に致命的な誤差となる。
【０００８】
そこで本発明は、電荷放電回路を備えた電源装置において、電荷放電回路のトランジスタを作動させるための電流による電流測定値への影響をなくすことを目的とするものである。
【課題を解決するための手段】
【０００９】
本発明の電源装置は、出力端子と接地端子の間に接続され、出力電圧を分圧して帰還電圧を作成する分圧抵抗及び電流測定抵抗からなる直列回路と、帰還電圧及び設定電圧を入力して比較する比較回路と、設定電圧が帰還電圧よりも高いときの比較回路の出力信号により作動する発振回路、発振回路の出力信号を１次側入力とする昇圧トランス、及び昇圧トランスの２次側に接続され出力端子に電源電圧を供給する整流平滑回路を備えた電源供給回路と、分圧抵抗に並列に接続されたトランジスタ、及び設定電圧が帰還電圧よりも低いときの比較回路の出力信号を入力してトランジスタを作動させる制御信号を発生する光起電力型ホトカプラを含み、制御信号が該ホトカプラに戻るように接続された電荷放電回路と、を備えているものである。
【００１０】
分圧抵抗に並列に接続されたトランジスタとしてバイポーラトランジスタを用いることができる。その場合は、ホトカプラからの制御信号がトランジスタのベース電極に供給され、そのベース電流がホトカプラに戻るように接続されている。
【００１１】
また、分圧抵抗に並列に接続されたトランジスタとして電界効果型トランジスタを用いることもできる。その場合は、ホトカプラの起電力が電界効果型トランジスタのゲート‐ソース間に印加されるように接続されている。
【００１２】
電荷放電回路は複数個が直列に接続されているようにしてもよい。その場合は、それぞれの電荷放電回路において制御信号がホトカプラに戻るように接続されている。
【００１３】
本発明の電源装置の好ましい用途の一例は電気泳動装置である。その場合、本発明の電源装置が流路の一端から他端に向かって試料が電気泳動する電気泳動路を備えた電気泳動媒体の電気泳動路の両端にそれぞれ接続され、その電気泳動路に泳動電圧を印加するために使用される。
【発明の効果】
【００１４】
本発明の電源装置では、分圧抵抗に並列に接続されたトランジスタ、及び設定電圧が帰還電圧よりも低いときの比較回路の出力信号を入力してトランジスタを作動させる制御信号を発生する光起電力型ホトカプラを含み、制御信号が該ホトカプラに戻るように接続された電荷放電回路を備えているので、トランジスタを通る電流とトランジスタを作動させる制御信号とが一緒になって接地端子から放電されない。したがって、制御信号がトランジスタを経て電流測定抵抗で検出される電流と一緒に検出されないので、電流測定抵抗にて電流値を正確に検出することができる。
【発明を実施するための最良の形態】
【００１５】
図１は本発明の電源装置の一実施例を示す回路図である。
出力端子１０と接地端子１１の間に接続された分圧抵抗Ｒ１，Ｒ２及び電流測定抵抗Ｒ３からなる直列回路が構成されている。分圧抵抗Ｒ１，Ｒ２により出力端子１０に出力される出力電圧に応じた帰還電圧及び設定電圧を入力して比較する比較回路４が設けられ、設定電圧が帰還電圧よりも高いときの比較回路の出力信号により作動する発振回路としてのインバータ６、インバータ６の出力信号を１次側入力とする昇圧トランスＴ１、及び昇圧トランスＴ１の２次側に接続され出力端子１０に電源電圧を供給する整流平滑回路８を備えた電源供給回路が構成されている。また、分圧抵抗Ｒ１，Ｒ２に並列に接続されたバイポーラトランジスタＱ１、及び設定電圧が帰還電圧よりも低いときの比較回路４の出力信号を入力してバイポーラトランジスタＱ１を作動させる制御信号としてのベース電流を発生する光起電力型ホトカプラＰＣ１を含み、制御信号がホトカプラＰＣ１に戻るように接続された電荷放電回路が構成されている。
【００１６】
整流平滑回路８は、平滑コンデンサＣ１，Ｃ２、ダイオードＤ１，Ｄ２により構成されている。電荷放電回路は出力電圧を電圧立ち下げる際に平滑コンデンサＣ１，Ｃ２に蓄積された電荷を接地端子からグランドに放電するための回路であり、放電時はバイポーラトランジスタＱ１が作動してコレクタ‐エミッタ間を電流が流れるようになり、平滑コンデンサＣ１，Ｃ２に蓄積されていた電荷がバイポーラトランジスタＱ１を通って接地端子１１側に流れて放電されるようになっている。
【００１７】
この実施例の電源装置の動作を説明する。
出力電圧立上り時は、比較回路４が分圧抵抗Ｒ１，Ｒ２による出力電圧に応じた帰還電圧よりも設定電圧の方が高いことを検出し、インバータ６側に電気信号を発生して交流電圧を発生させる。インバータ６によって発生された交流電圧は昇圧トランスＴ１で昇圧され、整流平滑回路８で平滑な直流電圧に変換され、出力部１０から設定電圧に応じた直流電圧が出力される。
【００１８】
出力電圧立下り時は、比較回路４が分圧抵抗Ｒ１，Ｒ２による出力電圧に応じた帰還電圧よりも設定電圧の方が低いことを検出し、ホトカプラＰＣ１側に電気信号を発生する。ホトカプラＰＣ１は比較回路４からの電気信号を１次側で受けて発光ダイオードを発光させ、２次側のフォトダイオードで発光ダイオードからの光を受光する。光を受光したフォトダイオードでは起電力が発生し、バイポーラトランジスタＱ１のベースに電位を与えてベース電流を発生させ、バイポーラトランジスタＱ１を作動させる。バイポーラトランジスタＱ１の作動により、整流平滑回路８の平滑コンデンサＣ１，Ｃ２に蓄積されていた電荷はバイポーラトランジスタＱ１のコレクタ‐エミッタ間を通って接地端子１１よりグランドに放電される。バイポーラトランジスタＱ１を作動させるベース電流はベース‐エミッタ間を経て再度ホトカプラＰＣ１に戻る。
【００１９】
図２はマイクロチップ型の電気泳動装置に接続された電源装置の構成の一例を示す回路図である。この図において試料を分離流路に注入するための注入流路の図示は省略している。
この実施例では、マイクロチップ１４の分離流路１６の上流端Ａと下流端Ｂにそれぞれ図１に示した電源装置の出力端子１０が接続されている。以下、上流端Ａに接続されている電源装置を上流側電源装置、下流端Ｂに接続されている電源装置を下流側電源装置と呼ぶ。
【００２０】
例えば分離流路１６に１０００Ｖの電圧を印加する場合には、上流側電源装置から１０００Ｖの電圧を出力し、下流側電源装置から０Ｖの電圧を出力する。すなわち、下流側電源装置の設定電圧を０Ｖにしてインバータ６を停止させる。この場合、上流側電源装置から出力された電流は分離流路１６を通って下流側電源装置に流入する。下流側電源装置に流入した電流は分圧抵抗Ｒ１，Ｒ２及び電流測定抵抗Ｒ３を経由して接地端子よりグランドに流れるが、このままだとこれらの抵抗Ｒ１，Ｒ２（１０ＭΩのような高抵抗を使用）及びＲ３の電圧降下により出力部１０の電位が０Ｖにならない。しかし、下流側電源装置の比較回路４への帰還電圧はこれらの抵抗による電圧降下によって設定電圧よりも高くなるため、出力部の電位が設定電圧よりも高いことを検出してホトカプラＰＣ１に電気信号を供給し、バイポーラトランジスタＱ１を作動させる。バイポーラトランジスタＱ１が作動すると、下流側電源装置に流入した電流は、バイポーラトランジスタＱ１のコレクタ‐エミッタ間を通過した後、電流測定抵抗Ｒ３を経て接地端子よりグランドに流れるので、抵抗Ｒ１，Ｒ２による電圧降下がなくなり、出力部１０の電位が降下して０Ｖに接近する。ただし、電流測定抵抗Ｒ３による電圧降下分は誤差になるが、電流測定抵抗Ｒ３の抵抗値を他の抵抗よりも極端に小さく設定することで無視することができる。
【００２１】
ここで用いられている電源装置は、バイポーラトランジスタＱ１を作動させるベース電流がバイポーラトランジスタＱ１のベース‐エミッタ間を通過後、またホトカプラＰＣ１に戻るように構成されているので、分離流路１６からの電流と一緒に電流測定抵抗Ｒ３を通過することはない。したがって、電流測定部１２ではベース電流は検出されないので、電流測定部１２において分離流路１６を流れた電流を正確に測定することができる。
【００２２】
次に、電荷放電回路の開閉を制御するトランジスタの耐圧を超える電圧を出力する場合について考える。例えば、チップ型電気泳動装置の分離流路に３０００Ｖもの電圧を出力する必要がある場合がある。しかし、市販のバイポーラトランジスタのコレクタ‐エミッタ間の耐電圧は高いもので１８００Ｖ程度であり、このようなトランジスタを１つだけ用いた電荷放電回路は、３０００Ｖもの電圧を出力する電源装置において電荷放電回路の機能を果たすことはできない。
【００２３】
そこで、１つのトランジスタにかかる電圧を低くするために、例えば図７に示すように、電荷放電回路を開閉させるトランジスタとして２つのバイポーラトランジスタＱ１，Ｑ２を段階的に配置することが考えられる。このような電源装置では、バイポーラトランジスタＱ１，Ｑ２に印加されるコレクタ電圧が均等になるように、等しい抵抗値をもつブリーダ抵抗Ｒ６，Ｒ７が設けられている。しかし、バイポーラトランジスタＱ１，Ｑ２を段階的に配置した場合、バイポーラトランジスタＱ２のエミッタ電位はほぼ０に近いため、比較回路４から低い電圧をベースに印加するだけでバイポーラトランジスタＱ２を作動させることができるが、バイポーラトランジスタＱ１のエミッタ電位はバイポーラトランジスタＱ２のコレクタ電位と同じ電位であり、バイポーラトランジスタＱ１を作動させるためにはベースに高い電圧を印加する必要があり、そのために別途高電圧電源を設けるなどの措置が必要である。
【００２４】
また、図７に示された電源装置の構成では、バイポーラトランジスタＱ１，Ｑ２が作動したときのベース電流が電流測定抵抗Ｒ３を通って接地端子１１に流れるようになっているため、マイクロチップの下流側電源装置として用いて設定電圧を０Ｖに設定した場合に、出力部１０から流入する電流を電流測定部１２で正確に測定することはできない。
【００２５】
図３は高電圧を出力できるように構成された電源装置の一実施例を示す回路図である。
出力端子１０と接地端子１１の間に接続された分圧抵抗Ｒ１，Ｒ２及び電流測定抵抗Ｒ３からなる直列回路が構成されている。分圧抵抗Ｒ１，Ｒ２により出力端子１０に出力される出力電圧に応じた帰還電圧及び設定電圧を入力して比較する比較回路４が設けられ、設定電圧が帰還電圧よりも高いときの比較回路の出力信号により作動する発振回路としてのインバータ６、インバータ６の出力信号を１次側入力とする昇圧トランスＴ１、及び昇圧トランスＴ１の２次側に接続され出力端子１０に電源電圧を供給する整流平滑回路８を備えた電源供給回路が構成されている。また、分圧抵抗に並列に接続されたバイポーラトランジスタＱ１，Ｑ２、設定電圧が帰還電圧よりも低いときの比較回路４の出力信号を入力してバイポーラトランジスタＱ１を作動させる制御信号としてのベース電流を発生する光起電力型ホトカプラＰＣ１及びホトカプラＰＣ１と同じく設定電圧が帰還電圧よりも低いときの比較回路４の出力信号を入力してバイポーラトランジスタＱ２を作動させる制御信号としてのベース電流を発生する光起電力型ホトカプラＰＣ２を含み、ホトカプラＰＣ１で発生された制御信号がホトカプラＰＣ１に戻り、ホトカプラＰＣ２で発生された制御信号がホトカプラＰＣ２に戻るように接続された電荷放電回路が構成されている。比較回路４の出力信号をホトカプラＰＣ１，ＰＣ２に適当な電流で供給するために電流制限抵抗Ｒ８，Ｒ９が比較回路４とホトカプラＰＣ１，ＰＣ２の間に設けられている。また、バイポーラトランジスタＱ１，Ｑ２に印加されるコレクタ電圧が均等になるように等しい抵抗値をもつブリーダ抵抗Ｒ６，Ｒ７が設けられている。
【００２６】
この実施例の電源装置の動作を説明する。
出力電圧立上り時は、比較回路４が分圧抵抗Ｒ１，Ｒ２による出力電圧に応じた帰還電圧よりも設定電圧の方が高いことを検出し、インバータ６側に電気信号を発生して交流電圧を発生させる。インバータ６によって発生された交流電圧は昇圧トランスＴ１で昇圧され、整流平滑回路８で平滑な直流電圧に変換され、出力部１０から設定電圧に応じた直流電圧が出力される。
【００２７】
出力電圧立下り時は、比較回路４が帰還電圧よりも設定電圧の方が低いことを検出し、ホトカプラＰＣ１及びＰＣ２側に電気信号を発生する。ホトカプラＰＣ１及びＰＣ２はそれぞれ比較回路４からの電気信号を１次側で受けて発光ダイオードを発光させ、２次側のフォトダイオードで発光ダイオードからの光を受光する。光を受光したフォトダイオードでは起電力が発生し、バイポーラトランジスタＱ１，Ｑ２にベース電流を発生させ、バイポーラトランジスタＱ１，Ｑ２を作動させる。バイポーラトランジスタＱ１，Ｑ２の作動により、整流平滑回路８の平滑コンデンサＣ１，Ｃ２に蓄積されていた電荷はバイポーラトランジスタＱ１及びＱ２のコレクタ‐エミッタ間を通って接地端子１１よりグランドに放電される。バイポーラトランジスタＱ１を作動させるベース電流はベース‐エミッタ間を経て再度ホトカプラＰＣ１に戻り、バイポーラトランジスタＱ２を作動させるベース電流はベース‐エミッタ間を経て再度ホトカプラＰＣ２に戻る。
【００２８】
バイポーラトランジスタＱ１のエミッタ電位はバイポーラトランジスタＱ２のコレクタ電位と同電位であるために、バイポーラトランジスタＱ１を作動させるのにベースにバイポーラトランジスタＱ２のコレクタ電位よりも高い電位を与える必要がある。しかし、この実施例の電源装置では、ホトカプラＰＣ１の起電力側がバイポーラトランジスタＱ２のコレクタ電位と同電位となるように接続され、２次側のフォトダイオードが光りを受光することで、バイポーラトランジスタＱ２のコレクタ電位と同じ電位を基にしてさらに起電力を発生させるようになっているので、バイポーラトランジスタＱ１のベースに高電位を与えるための電源を別途設けることなく、比較回路４からの電気信号によってバイポーラトランジスタＱ１及びＱ２を作動させることができる。
【００２９】
そして、出力電圧立下り時に整流平滑回路８の平滑コンデンサＣ１，Ｃ２に蓄積された電荷を素早くグランドに放電するための電荷放電回路を、２つのバイポーラトランジスタＱ１，Ｑ２をスイッチ素子として用いて構成しており、これらのバイポーラトランジスタＱ１，Ｑ２にかかる電圧をブリーダ抵抗Ｒ６，Ｒ７によって分配するようにしているので、電荷放電時にバイポーラトランジスタＱ１，Ｑ２にかかる電圧は、電荷放電をしないときに出力部から出力される電圧よりも小さくなるため、バイポーラトランジスタＱ１，Ｑ２の耐圧を超える電圧を出力することができる。
【００３０】
この実施例の電源装置では、バイポーラトランジスタＱ１及びＱ２を作動させるベース電流はそれぞれホトカプラＰＣ１，ＰＣ２に戻るように構成されているので、ベース電流が電流測定抵抗Ｒ３を流れることがなく、出力部１０からこの電源装置に流入した電流を測定する際に、ベース電流による影響を受けることなく正確な測定を行なうことができる。
【００３１】
本発明の電源装置においては、放電回路のスイッチ素子としてバイポーラトランジスタＱ１，Ｑ２に代えて、例えば図４に示されるように、電界効果型（ＭＯＳ型）トランジスタＱ３，Ｑ４を用いることもできる。この場合、ＭＯＳ型トランジスタＱ３，Ｑ４のゲート電極からソース側に電流が流れることはないため、ホトカプラＰＣ１及びＰＣ２で発生した電流を消費し、ＯＦＦする時間を短縮するため抵抗Ｒ４，Ｒ５がホトカプラＰＣ１及びＱ２の２次側のフォトダイオードにそれぞれ並列に接続されている。ホトカプラＰＣ１のフォトダイオードから出た電流は抵抗Ｒ４を経て再度ホトカプラＰＣ１に戻るようになっており、ホトカプラＰＣ２のフォトダイオードから出た電流は抵抗Ｒ５を経て再度ホトカプラＰＣ２に戻るように接続されている。
【００３２】
図４に示した電源装置においても、ホトカプラＰＣ１，ＰＣ２が発生した電流は再度ホトカプラＰＣ１，ＰＣ２にそれぞれ戻るように構成されておりホトカプラＰＣ１，ＰＣ２が発生した電流が電流測定抵抗Ｒ３を流れることがないので、出力部１０からこの電源装置に流入した電流を測定する際に、ホトカプラＰＣ１，ＰＣ２が発生した電流による影響を受けることなく正確な測定を行なうことができる。
【図面の簡単な説明】
【００３３】
【図１】電源装置の一実施例を示す回路図である。
【図２】電気泳動装置に接続された電源装置の一実施例を示す回路図である。
【図３】電源装置のさらに他の実施例を示す回路図である。
【図４】電源装置のさらに他の実施例を示す回路図である。
【図５】電荷放電回路を備えた電源装置の構成例を示す回路図である。
【図６】電荷放電回路を備えた電源装置を電気泳動装置に接続した例の構成を示す回路図である。
【図７】高電圧を出力するように構成した電源装置の構成例を示す回路図である。
【符号の説明】
【００３４】
２    設定部
４    比較回路
６    コンバータ
８    整流平滑回路
１０    出力部
１１    接地部
１２    電流測定部
Ｔ１    昇圧トランス
Ｃ１，Ｃ２  平滑コンデンサ
Ｄ１，Ｄ２  ダイオード
ＰＣ１，ＰＣ２  ホトカプラ
Ｑ１，Ｑ２，Ｑ３，Ｑ４  トランジスタ
Ｒ１，Ｒ２，Ｒ３，Ｒ４，Ｒ５，Ｒ６，Ｒ７，Ｒ８，Ｒ９  抵抗
【図１】
0004735431.tif 000002
【図２】
0004735431.tif 000003
【図３】
0004735431.tif 000004
【図４】
0004735431.tif 000005
【図５】
0004735431.tif 000006
【図６】
0004735431.tif 000007
【図７】
0004735431.tif 000008